(57)【要約】【課題】  屋内の人の温熱環境を快適に維持しながら、機械換気よりも自然換気をできるだけ優先して使用できる環境制御装置、および環境制御システムを提供する。【解決手段】  環境制御装置１において、指標導出部７は、屋内温度指標Ｔ１、屋外温度指標Ｔ２を導出し、コントローラ１１は、屋外温度指標Ｔ２が屋内温度指標Ｔ１より低い場合、屋内温度指標Ｔ１が閾値以上であれば、機械換気動作をオン制御、自然換気動作をオフ制御し、屋内温度指標Ｔ１が閾値未満であれば、機械換気動作をオフ制御、自然換気動作をオン制御し、屋内温度指標Ｔ１と屋外温度指標Ｔ２との差分に応じて閾値を変化させる。【選択図】図１
2015094540.tif 000002
【特許請求の範囲】
【請求項１】
空間の内部と前記空間の外部との間で機械換気動作を行う機械換気装置、前記空間の内部と前記空間の外部との間で自然換気動作を行う自然換気装置を、前記空間の内部における人の体感温度を表す第１の体感温度指標、および前記空間の外部における人の体感温度を表す第２の体感温度指標に基づいて制御する環境制御装置であって、
前記第１の体感温度指標と前記第２の体感温度指標とを比較した比較結果、前記第１の体感温度指標を第１の閾値と比較した比較結果に基づいて、前記機械換気装置の前記機械換気動作および前記自然換気装置の前記自然換気動作をそれぞれ制御するコントローラを備え、
前記コントローラは、
前記第２の体感温度指標が前記第１の体感温度指標より低い場合、
前記第１の体感温度指標が前記第１の閾値以上であれば、前記機械換気動作をオン制御、前記自然換気動作をオフ制御し、
前記第１の体感温度指標が前記第１の閾値未満であれば、前記機械換気動作をオフ制御、前記自然換気動作をオン制御し、
前記第１の体感温度指標と前記第２の体感温度指標との差分に応じて前記第１の閾値を変化させる
ことを特徴とする環境制御装置。
【請求項２】
前記コントローラは、
前記第１の体感温度指標と前記第２の体感温度指標とを比較した比較結果、前記第１の体感温度指標を、前記第１の閾値、前記第１の閾値より大きい第２の閾値、前記第１の閾値未満である第３の閾値のそれぞれと比較した比較結果に基づいて、前記機械換気装置の前記機械換気動作、および前記自然換気装置の前記自然換気動作、および前記空間の内部を冷房する空調装置の冷房運転をそれぞれ制御し、
前記第２の体感温度指標が前記第１の体感温度指標より低い場合、
前記第１の体感温度指標が前記第２の閾値以上であれば、前記冷房運転をオン制御、前記機械換気動作をオフ制御、前記自然換気動作をオフ制御し、
前記第１の体感温度指標が前記第２の閾値未満、前記第１の閾値以上であれば、前記冷房運転をオフ制御、前記機械換気動作をオン制御、前記自然換気動作をオフ制御し、
前記第１の体感温度指標が前記第１の閾値未満、前記第３の閾値以上であれば、前記冷房運転をオフ制御、前記機械換気動作をオフ制御、前記自然換気動作をオン制御し、
前記第１の体感温度指標が前記第３の閾値未満であれば、前記冷房運転をオフ制御、前記機械換気動作をオフ制御、前記自然換気動作をオフ制御し、
前記第１の体感温度指標と前記第２の体感温度指標との差分に応じて前記第１の閾値を変化させる
ことを特徴とする請求項１記載の環境制御装置。
【請求項３】
前記コントローラは、前記第２の体感温度指標が前記第１の体感温度指標より低い場合、前記第１の体感温度指標と前記第２の体感温度指標との差分が所定値より大きければ、前記第１の体感温度指標と前記第２の体感温度指標との差分が前記所定値より小さいときに比べて、前記第１の閾値を高く設定することを特徴とする請求項１または２記載の環境制御装置。
【請求項４】
前記第１の体感温度指標は、前記空間の内部の温度と湿度に基づいて導出された値であり、前記第２の体感温度指標は、前記空間の外部の温度と湿度とに基づいて導出された値であることを特徴とする請求項１乃至３いずれか記載の環境制御装置。
【請求項５】
前記第１の体感温度指標は、前記空間の内部の温度と湿度と風速とに基づいて導出された値であり、前記第２の体感温度指標は、前記空間の外部の温度と湿度と風速とに基づいて導出された値であることを特徴とする請求項１乃至３いずれか記載の環境制御装置。
【請求項６】
空間の内部と前記空間の外部との間で機械換気動作を行う機械換気装置と、
前記空間の内部と前記空間の外部との間で自然換気動作を行う自然換気装置と、
前記空間の内部における人の体感温度を表す第１の体感温度指標、および前記空間の外部における人の体感温度を表す第２の体感温度指標を導出する指標導出部と、
前記第１の体感温度指標および前記第２の体感温度指標に基づいて、前記機械換気装置の前記機械換気動作および前記自然換気装置の前記自然換気動作をそれぞれ制御する環境制御装置とを備え、
前記環境制御装置は、
前記第２の体感温度指標が前記第１の体感温度指標より低い場合、
前記第１の体感温度指標が閾値以上であれば、前記機械換気動作をオン制御、前記自然換気動作をオフ制御し、
前記第１の体感温度指標が前記閾値未満であれば、前記機械換気動作をオフ制御、前記自然換気動作をオン制御し、
前記第１の体感温度指標と前記第２の体感温度指標との差分に応じて前記閾値を変化させる
ことを特徴とする環境制御システム。
【発明の詳細な説明】
【技術分野】
【０００１】
本発明は、空間の内部の温熱環境を制御する環境制御装置、および環境制御システムに関するものである。
【背景技術】
【０００２】
従来、冷房運転の対象となる居室、オフィス、工場等の屋内において、屋内・屋外の温度、湿度を検出し、この検出結果に基づいて給気口、送風ファン、空気調和機を制御することによって、屋内の温熱環境を快適範囲内に制御する空調システムがある（例えば、特許文献１）。このシステムでは、給気口を開いたり、送風ファンを駆動することによって、外気を屋内に取り入れる。
【０００３】
すなわち、送風ファン等のように機械換気動作を行う機械換気装置と、給気口等のように自然換気動作を行う自然換気装置との両方を用いて、屋内の温熱環境を制御する環境制御システムがあった。
【先行技術文献】
【特許文献】
【０００４】
【特許文献１】特開平９−１４７２０号公報
【発明の概要】
【発明が解決しようとする課題】
【０００５】
一般に、屋内の温熱環境を快適範囲内に制御できるならば、機械換気動作による通風に比べて、自然換気動作による通風のほうが人にとって快適である。さらに、機械換気動作を用いる場合に比べて、自然換気動作を用いるほうが省電力化を図ることができる。
【０００６】
そこで、機械換気装置と自然換気装置との両方を環境制御システムに用いる場合、屋内の人の温熱環境を快適に維持しながら、機械換気よりも自然換気をできるだけ優先して使用したいという要望があった。
【０００７】
本発明は、上記事由に鑑みてなされたものであり、その目的は、屋内の人の温熱環境を快適に維持しながら、機械換気よりも自然換気をできるだけ優先して使用できる環境制御装置、および環境制御システムを提供することにある。
【課題を解決するための手段】
【０００８】
本発明の環境制御装置は、空間の内部と前記空間の外部との間で機械換気動作を行う機械換気装置、前記空間の内部と前記空間の外部との間で自然換気動作を行う自然換気装置を、前記空間の内部における人の体感温度を表す第１の体感温度指標、および前記空間の外部における人の体感温度を表す第２の体感温度指標に基づいて制御する環境制御装置であって、前記第１の体感温度指標と前記第２の体感温度指標とを比較した比較結果、前記第１の体感温度指標を第１の閾値と比較した比較結果に基づいて、前記機械換気装置の前記機械換気動作および前記自然換気装置の前記自然換気動作をそれぞれ制御するコントローラを備え、前記コントローラは、前記第２の体感温度指標が前記第１の体感温度指標より低い場合、前記第１の体感温度指標が前記第１の閾値以上であれば、前記機械換気動作をオン制御、前記自然換気動作をオフ制御し、前記第１の体感温度指標が前記第１の閾値未満であれば、前記機械換気動作をオフ制御、前記自然換気動作をオン制御し、前記第１の体感温度指標と前記第２の体感温度指標との差分に応じて前記第１の閾値を変化させることを特徴とする。
【０００９】
この発明において、前記コントローラは、前記第１の体感温度指標と前記第２の体感温度指標とを比較した比較結果、前記第１の体感温度指標を、前記第１の閾値、前記第１の閾値より大きい第２の閾値、前記第１の閾値未満である第３の閾値のそれぞれと比較した比較結果に基づいて、前記機械換気装置の前記機械換気動作、および前記自然換気装置の前記自然換気動作、および前記空間の内部を冷房する空調装置の冷房運転をそれぞれ制御し、前記第２の体感温度指標が前記第１の体感温度指標より低い場合、前記第１の体感温度指標が前記第２の閾値以上であれば、前記冷房運転をオン制御、前記機械換気動作をオフ制御、前記自然換気動作をオフ制御し、前記第１の体感温度指標が前記第２の閾値未満、前記第１の閾値以上であれば、前記冷房運転をオフ制御、前記機械換気動作をオン制御、前記自然換気動作をオフ制御し、前記第１の体感温度指標が前記第１の閾値未満、前記第３の閾値以上であれば、前記冷房運転をオフ制御、前記機械換気動作をオフ制御、前記自然換気動作をオン制御し、前記第１の体感温度指標が前記第３の閾値未満であれば、前記冷房運転をオフ制御、前記機械換気動作をオフ制御、前記自然換気動作をオフ制御し、前記第１の体感温度指標と前記第２の体感温度指標との差分に応じて前記第１の閾値を変化させることが好ましい。
【００１０】
この発明において、前記コントローラは、前記第２の体感温度指標が前記第１の体感温度指標より低い場合、前記第１の体感温度指標と前記第２の体感温度指標との差分が所定値より大きければ、前記第１の体感温度指標と前記第２の体感温度指標との差分が前記所定値より小さいときに比べて、前記第１の閾値を高く設定することが好ましい。
【００１１】
この発明において、前記第１の体感温度指標は、前記空間の内部の温度と湿度に基づいて導出された値であり、前記第２の体感温度指標は、前記空間の外部の温度と湿度とに基づいて導出された値であることが好ましい。
【００１２】
この発明において、前記第１の体感温度指標は、前記空間の内部の温度と湿度と風速とに基づいて導出された値であり、前記第２の体感温度指標は、前記空間の外部の温度と湿度と風速とに基づいて導出された値であることが好ましい。
【００１３】
本発明の環境制御システムは、空間の内部と前記空間の外部との間で機械換気動作を行う機械換気装置と、前記空間の内部と前記空間の外部との間で自然換気動作を行う自然換気装置と、前記空間の内部における人の体感温度を表す第１の体感温度指標、および前記空間の外部における人の体感温度を表す第２の体感温度指標を導出する指標導出部と、前記第１の体感温度指標および前記第２の体感温度指標に基づいて、前記機械換気装置の前記機械換気動作および前記自然換気装置の前記自然換気動作をそれぞれ制御する環境制御装置とを備え、前記環境制御装置は、前記第２の体感温度指標が前記第１の体感温度指標より低い場合、前記第１の体感温度指標が閾値以上であれば、前記機械換気動作をオン制御、前記自然換気動作をオフ制御し、前記第１の体感温度指標が前記閾値未満であれば、前記機械換気動作をオフ制御、前記自然換気動作をオン制御し、前記第１の体感温度指標と前記第２の体感温度指標との差分に応じて前記閾値を変化させることを特徴とする。
【発明の効果】
【００１４】
以上説明したように、本発明の環境制御装置、環境制御システムは、空間の外部のほうが空間の内部よりも涼しく、第１の体感温度指標と第２の体感温度指標との差分が所定値以上であれば、通風制御として、機械換気ではなく、自然換気を行う。したがって、本発明の環境制御装置、環境制御システムは、屋内の人の温熱環境を快適に維持しながら、機械換気よりも自然換気をできるだけ優先して使用できるという効果がある。
【図面の簡単な説明】
【００１５】
【図１】実施形態の環境制御システムの構成を示すブロック図である。
【図２】同上の環境制御装置の動作を示すフローチャート図である。
【図３】同上のコントローラによるアルゴリズム選択を示す概念図である。
【発明を実施するための形態】
【００１６】
以下、本発明の実施の形態を図面に基づいて説明する。
【００１７】
（実施形態）
図１は、環境制御システムの構成を示す。
【００１８】
環境制御システムは、環境制御装置１、制御機器２、環境情報検出部３、目標温度設定部４、人検出部５、表示装置６、指標導出部７を備える。各部の相互間の接続は、有線、無線のいずれでもよい。
【００１９】
制御機器２は、住宅の居室、オフィス、工場等の空間８内部の温熱環境を制御する機器である。制御機器２は、空調装置２１、機械換気装置２２、自然換気装置２３で構成される。なお、空間８の外部とは屋外のことである。以降、空間８の内部を屋内、空間８の外部を屋外と称す。
【００２０】
空調装置２１は、エアーコンディショナで構成されて、屋内を冷房する冷房運転を行う。
【００２１】
機械換気装置２２は、換気扇、通風ファン等の強制送風手段を備えており、この強制送風手段が動作することによって、屋内と屋外との間で空気を入れ替える機械換気動作（強制換気動作）を行う。
【００２２】
自然換気装置２３は、空間８の壁面、天井面等に設けられた開閉可能な窓、がらり、通気口、換気口等で構成される。自然換気装置２３は、屋内と屋外との間を連通させる通気路を開閉可能に構成されており、通気路を開くことによって自然換気動作を行い、通気路を閉じることによって自然換気動作を停止する。この自然換気動作は、屋内と屋外との間の気圧差、温度差等によって、外気を屋内に取り込むことができる。
【００２３】
環境制御装置１は、制御機器２の各装置を、屋内における人の体感温度を表す体感温度指標Ｔ１（℃）（第１の体感温度指標）、および屋外における人の体感温度を表す体感温度指標Ｔ２（℃）（第２の体感温度指標）に基づいて制御する。以降、屋内における人の体感温度を表す体感温度指標Ｔ１を「屋内温度指標Ｔ１」、屋外における人の体感温度を表す体感温度指標Ｔ２を「屋外温度指標Ｔ２」と略称する。
【００２４】
環境情報検出部３は、屋内情報検出部３１、屋外情報検出部３２、風情報検出部３３で構成され、屋内および屋外の各環境情報（温度、湿度、風速等）を検出する。屋内情報検出部３１は、屋内の温度、湿度（屋内温度、屋内湿度）を測定し、屋内温度、屋内湿度の測定データを環境制御装置１へ出力する。屋外情報検出部３２は、屋外の温度、湿度（屋外温度、屋外湿度）を測定し、屋外温度、屋外湿度の測定データを環境制御装置１へ出力する。風情報検出部３３は、屋内および屋外の風速を測定し、屋内風速、屋外風速の測定データを環境制御装置１へ出力する。
【００２５】
目標温度設定部４は、ユーザの操作または外部機器からの設定信号によって屋内の目標温度を設定し、目標温度のデータを環境制御装置１へ出力する。
【００２６】
人検出部５は、屋内に人が存在しているか否かを検出し、人の在・不在のデータを環境制御装置１へ出力する。
【００２７】
表示装置６は、液晶画面等の表示画面を有して、環境制御装置１によって表示制御される。そして、表示装置６は、環境制御装置１による制御機器２の制御状況、制御履歴、環境情報検出部３の各測定データ、目標温度設定部４が設定した目標温度のデータ、人検出部５の検出結果等を表示画面上に表示する。
【００２８】
環境制御装置１は、コントローラ１１、第１メモリ１２、第２メモリ１３、第３メモリ１４、指標導出部７を備える。なお、指標導出部７は、環境制御装置１に設けられる構成、環境制御装置１とは別体に設けられる構成のいずれであってもよい。
【００２９】
第１メモリ１２は、屋内情報検出部３１から取得した屋内温度、屋内湿度の測定データの履歴、風情報検出部３３から取得した屋内風速の測定データの履歴を記憶する屋内情報メモリである。第２メモリ１３は、屋外情報検出部３２から取得した屋外温度、屋外湿度の測定データの履歴、風情報検出部３３から取得した屋外風速の測定データの各履歴を記憶する屋外情報メモリである。
【００３０】
指標導出部７は、屋内温度指標Ｔ１，屋外温度指標Ｔ２を導出する。人の体感温度は、温度、湿度、風速に依存しており、屋内温度指標Ｔ１，屋外温度指標Ｔ２は、以下のように導出される。屋内温度指標Ｔ１は、［Ｔ１＝屋内温度＋（屋内湿度−６０）×０．１−屋内風速］で導出される。屋外温度指標Ｔ２は、［Ｔ２＝屋外温度＋（屋外湿度−６０）×０．１−屋外風速］で導出される。この屋内温度指標Ｔ１，屋外温度指標Ｔ２の導出式は、湿度が１０％増加すると体感温度が１℃上昇し、風速が１ｍ／ｓ増加すると体感温度が１℃下降するという説に基づいている。
【００３１】
なお、屋内温度指標Ｔ１の導出に用いる屋内温度、屋内湿度は、屋内情報検出部３１から取得した最新の測定データ、または第１メモリ１２に記憶された所定期間内の測定データの平均値である。さらに、屋内温度指標Ｔ１の導出に用いる屋内風速は、風情報検出部３３から取得した最新の測定データ、または第１メモリ１２に記憶された所定期間内の測定データの平均値である。
【００３２】
また、屋外温度指標Ｔ２の導出に用いる屋内温度、屋内湿度は、屋外情報検出部３２から取得した最新の測定データ、または第２メモリ１３に記憶された所定期間内の測定データの平均値である。さらに、屋外温度指標Ｔ２の導出に用いる屋外風速は、風情報検出部３３から取得した最新の測定データ、または第２メモリ１３に記憶された所定期間内の測定データの平均値である。
【００３３】
コントローラ１１は、屋内温度指標Ｔ１，屋外温度指標Ｔ２に基づいて制御機器２を制御し、屋内の温熱環境を制御する。空調装置２１は、コントローラ１１によるオン制御時に冷房運転を行い、コントローラ１１によるオフ制御時に冷房運転を停止する。機械換気装置２２は、コントローラ１１によるオン制御時に機械換気動作を行い、コントローラ１１によるオフ制御時に機械換気動作を停止する。自然換気装置２３は、コントローラ１１によるオン制御時に自然換気動作を行い、コントローラ１１によるオフ制御時に自然換気動作を停止する。
【００３４】
図２のフローチャートは、環境制御装置１の動作を示す。環境制御装置１は、環境情報検出部３から、屋内および屋外の環境情報（温度、湿度、風速）を取得する（ステップＳ１）。次に、指標導出部７は、環境情報検出部３から取得した各データ（必要に応じて、第１メモリ１２、第２メモリ１３に記憶している各データを含む）に基づいて、屋内温度指標Ｔ１，屋外温度指標Ｔ２を導出する（ステップＳ２）。次に、コントローラ１１は、所定のアルゴリズムに基づいて、制御機器２の制御モードを選択する（ステップＳ３）。制御モードには、空調モード、機械換気モード、自然換気モード、停止モードがある。
【００３５】
そして、コントローラ１１は、選択された制御モードが空調モードであるか否かを判定する（ステップＳ４）。コントローラ１１は、選択された制御モードが空調モードである場合、空調装置２１の冷房運転をオン制御し、機械換気装置２２の機械換気動作をオフ制御し、自然換気装置２３の自然換気動作をオフ制御する（ステップＳ７）。コントローラ１１は、選択された制御モードが空調モードでない場合、選択された制御モードが機械換気モードであるか否かを判定する（ステップＳ５）。コントローラ１１は、選択された制御モードが機械換気モードである場合、空調装置２１の冷房運転をオフ制御し、機械換気装置２２の機械換気動作をオン制御し、自然換気装置２３の自然換気動作をオン制御する（ステップＳ８）。コントローラ１１は、選択された制御モードが機械換気モードでない場合、選択された制御モードが自然換気モードであるか否かを判定する（ステップＳ６）。コントローラ１１は、選択された制御モードが自然換気モードである場合、空調装置２１の冷房運転をオフ制御し、機械換気装置２２の機械換気動作をオフ制御し、自然換気装置２３の自然換気動作をオン制御する（ステップＳ９）。コントローラ１１は、選択された制御モードが自然換気モードでない場合、選択された制御モードが停止モードであると判定して、空調装置２１の冷房運転、機械換気装置２２の機械換気動作、自然換気装置２３の自然換気動作をオフ制御する（ステップＳ１０）。
【００３６】
なお、機械換気モードにおいて、空調装置２１の冷房運転をオフ制御し、機械換気装置２２の機械換気動作をオン制御し、自然換気装置２３の自然換気動作をオフ制御してもよい。
【００３７】
次に、コントローラ１１が制御機器２の制御モードを選択する際に用いるアルゴリズムについて、図３を用いて説明する。
【００３８】
図３は、コントローラ１１によるアルゴリズム選択の概念図であり、屋外温度指標Ｔ２を横軸とし、屋内温度指標Ｔ１を縦軸とする。コントローラ１１は、指標導出部７が導出した屋内温度指標Ｔ１，屋外温度指標Ｔ２に応じて、制御モードを選択する。なお、図３において、直線１００はＴ１＝Ｔ２を示す。そして、直線１００を境界にして屋内温度指標Ｔ１側の領域１０１では、屋外温度指標Ｔ２が屋内温度指標Ｔ１より低い（屋内より屋外のほうが涼しい）。また、直線１００を境界にして屋内温度指標Ｔ２側の領域１０２では、屋内温度指標Ｔ１が屋外温度指標Ｔ２より低い（屋外より屋内のほうが涼しい）。なお、直線１００上は、領域１０１，１０２のいずれに含めてもよい。
【００３９】
コントローラ１１は、指標導出部７が導出した屋内温度指標Ｔ１と屋外温度指標Ｔ２とを比較する（第１の比較結果）。
【００４０】
また、コントローラ１１は、指標導出部７が導出した屋内温度指標Ｔ１を、閾値Ｈ１（第１の閾値），閾値Ｈ２（第２の閾値），閾値Ｈ３（第３の閾値）と比較する（第２の比較結果）。閾値Ｈ１，Ｈ２，Ｈ３の大小関係は、閾値Ｈ２＞閾値Ｈ１＞閾値Ｈ３となる。屋内温度指標Ｔ１には、屋内の人が快適であると感じる快適範囲Ｃ１があり、快適範囲Ｃ１の上限が閾値Ｈ２、快適範囲Ｃ１の下限が閾値Ｈ３となる。屋内の目標温度は、閾値Ｈ２＞目標温度＞閾値Ｈ３の範囲内で設定されており、閾値Ｈ２は、目標温度設定部４が設定した屋内の目標温度に基づいて設定される。
【００４１】
そして、コントローラ１１は、第１の比較結果、第２の比較結果に基づいて、空調装置２１の冷房運転、機械換気装置２２の機械換気動作、自然換気装置２３の自然換気動作をそれぞれ制御する。
【００４２】
具体的に、コントローラ１１は、屋内温度指標Ｔ１が閾値Ｈ２以上である場合、空調モードを選択し、空調装置２１の冷房運転をオン制御、機械換気装置２２の機械換気動作をオフ制御、自然換気装置２３の自然換気動作をオフ制御する。
【００４３】
また、屋内温度指標Ｔ１が閾値Ｈ２未満、閾値Ｈ１以上である場合、コントローラ１１は、以下の処理を行う。まず、屋内温度指標Ｔ１，屋外温度指標Ｔ２の交点が領域１０１に属している場合（Ｔ１＞Ｔ２）、機械換気モードを選択し、空調装置２１の冷房運転をオフ制御、機械換気装置２２の機械換気動作をオン制御、自然換気装置２３の自然換気動作をオン制御する。一方、屋内温度指標Ｔ１，屋外温度指標Ｔ２の交点が領域１０２に属している場合（Ｔ１＜Ｔ２）、停止モードを選択し、空調装置２１の冷房運転、機械換気装置２２の機械換気動作、自然換気装置２３の自然換気動作をオフ制御する。
【００４４】
また、屋内温度指標Ｔ１が閾値Ｈ１未満、閾値Ｈ３以上である場合、コントローラ１１は、以下の処理を行う。まず、屋内温度指標Ｔ１，屋外温度指標Ｔ２の交点が領域１０１に属している場合（Ｔ１＞Ｔ２）、自然換気モードを選択し、空調装置２１の冷房運転をオフ制御、機械換気装置２２の機械換気動作をオフ制御、自然換気装置２３の自然換気動作をオン制御する。一方、屋内温度指標Ｔ１，屋外温度指標Ｔ２の交点が領域１０２に属している場合（Ｔ１＜Ｔ２）、停止モードを選択し、空調装置２１の冷房運転、機械換気装置２２の機械換気動作、自然換気装置２３の自然換気動作をオフ制御する。
【００４５】
また、屋内温度指標Ｔ１が閾値Ｈ３未満である場合、コントローラ１１は、停止モードを選択し、空調装置２１の冷房運転、機械換気装置２２の機械換気動作、自然換気装置２３の自然換気動作をオフ制御する。
【００４６】
上述のように、コントローラ１１は、制御機器２の各装置を、屋内における人の体感温度を表す屋内温度指標Ｔ１、および屋外における人の体感温度を表す屋外温度指標Ｔ２に基づいて制御する。したがって、人が暑さ、寒さを感じる温熱感覚を考慮した温熱環境の制御が行われるので、人の快適性を向上させるための温熱環境制御の精度が向上する。
【００４７】
そして、本実施形態において、コントローラ１１は、屋内温度指標Ｔ１と屋外温度指標Ｔ２との差分に応じて閾値Ｈ１を変化させる。図３に示すように、領域１０１（Ｔ１＞Ｔ２）において、屋内温度指標Ｔ１と屋外温度指標Ｔ２との差分［Ｔ１−Ｔ２］が所定値Ｗ１以上である場合、閾値Ｈ１の大きさはＨ１ａに設定される。また、領域１０１（Ｔ１＞Ｔ２）において、屋内温度指標Ｔ１と屋外温度指標Ｔ２との差分［Ｔ１−Ｔ２］が所定値Ｗ１未満である場合、閾値Ｈ１の大きさはＨ１ｂに設定される。閾値Ｈ１の大きさＨ１ａは、閾値Ｈ１の大きさＨ１ｂより大きい値に設定されている。また、閾値Ｈ１の大きさＨ１ａ，Ｈ１ｂは、閾値Ｈ３より大きく、閾値Ｈ２より小さい範囲内に設定される。
【００４８】
すなわち、環境制御装置１は、領域１０１において、［Ｈ１ｂ≦Ｔ１＜Ｈ１ａ］となる場合、［（Ｔ１−Ｔ２）＞Ｗ１］であれば、機械換気ではなく、自然換気を行う。また、環境制御装置１は、領域１０１において、［Ｈ１ｂ≦Ｔ１＜Ｈ１ａ］となる場合、［（Ｔ１−Ｔ２）≦Ｗ１］であれば、自然換気ではなく、機械換気を行う。
【００４９】
したがって、環境制御装置１、環境制御システムは、屋外のほうが屋内よりも涼しく、屋内温度指標Ｔ１と屋外温度指標Ｔ２との差分［Ｔ１−Ｔ２］が所定値Ｗ１以上であれば、通風制御として、機械換気ではなく、自然換気を行う。すなわち、環境制御装置１、環境制御システムは、屋内の人の温熱環境を快適に維持しながら、機械換気よりも自然換気をできるだけ優先して使用できる。一般に、屋内の温熱環境を快適範囲内に制御できるならば、機械換気による通風に比べて、自然換気による通風のほうが人にとって快適である。また、環境制御装置１、環境制御システムは、通風制御として機械換気よりも自然換気を優先するので、省電力化を図ることができる。
【００５０】
なお、閾値Ｈ１の設定は、図３に示す形態以外でもよい。すなわち、領域１０１において、屋内温度指標Ｔ１と屋外温度指標Ｔ２との差分が所定値Ｗ１より大きければ、屋内温度指標Ｔ１と屋外温度指標Ｔ２との差分が所定値Ｗ１より小さいときに比べて、閾値Ｈ１を高く設定すればよい。
【００５１】
そして、コントローラ１１による制御機器２の制御内容は、制御ログメモリとして機能する第３メモリ１４に順次記憶される。表示装置６は、第３メモリ１４を参照して、環境制御装置１による制御機器２の制御状況、制御履歴を表示できる。
【００５２】
また、指標導出部７は、屋内温度指標Ｔ１，屋外温度指標Ｔ２を、［Ｔ１＝屋内温度＋（屋内湿度−６０）×０．１］、［Ｔ２＝屋外温度＋（屋外湿度−６０）×０．１］にしたがって導出してもよい。なお、屋内温度指標Ｔ１，屋外温度指標Ｔ２の導出式は、人の体感温度を表す式であればよく、本実施形態で示した式に限定されるものではない。指標導出部７は、例えばミスナール体感温度、リンケ体感温度を表す式を用いて、屋内温度指標Ｔ１，屋外温度指標Ｔ２を導出してもよい。
【００５３】
上述の環境制御装置１は、空間８の内部と空間８の外部との間で機械換気動作を行う機械換気装置２２、空間８の内部と空間８の外部との間で自然換気動作を行う自然換気装置２３を、空間８の内部における人の体感温度を表す屋内温度指標Ｔ１（第１の体感温度指標）、および空間８の外部における人の体感温度を表す屋外温度指標Ｔ２（第２の体感温度指標）に基づいて制御する環境制御装置である。
【００５４】
そして、環境制御装置１は、屋内温度指標Ｔ１と屋外温度指標Ｔ２とを比較した比較結果、屋内温度指標Ｔ１を閾値Ｈ１（第１の閾値）と比較した比較結果に基づいて、機械換気装置２２の機械換気動作および自然換気装置２３の自然換気動作をそれぞれ制御するコントローラ１１を備える。
【００５５】
コントローラ１１は、屋外温度指標Ｔ２が屋内温度指標Ｔ１より低い場合、屋内温度指標Ｔ１が閾値Ｈ１以上であれば、機械換気動作をオン制御、自然換気動作をオフ制御する。また、コントローラ１１は、屋内温度指標Ｔ１が閾値Ｈ１未満であれば、機械換気動作をオフ制御、自然換気動作をオン制御する。そして、コントローラ１１は、屋内温度指標Ｔ１と屋外温度指標Ｔ２との差分に応じて閾値Ｈ１を変化させる。
【００５６】
また、上述の環境制御システムは、空間の８内部と空間８の外部との間で機械換気動作を行う機械換気装置２２と、空間８の内部と空間８の外部との間で自然換気動作を行う自然換気装置２３とを備える。さらに、環境制御システムは、空間８の内部における人の体感温度を表す屋内温度指標Ｔ１（第１の体感温度指標）、および空間８の外部における人の体感温度を表す屋外温度指標Ｔ２（第２の体感温度指標）を導出する指標導出部７を備える。さらに、環境制御システムは、屋内温度指標Ｔ１および屋外温度指標Ｔ２に基づいて、機械換気装置２２の機械換気動作および自然換気装置２３の自然換気動作をそれぞれ制御する環境制御装置１を備える。
【００５７】
環境制御装置１は、屋外温度指標Ｔ２が屋内温度指標Ｔ１より低い場合、屋内温度指標Ｔ１が閾値Ｈ１以上であれば、機械換気動作をオン制御、自然換気動作をオフ制御する。また、環境制御装置１は、屋内温度指標Ｔ１が閾値Ｈ１未満であれば、機械換気動作をオフ制御、自然換気動作をオン制御する。そして、環境制御装置１は、屋内温度指標Ｔ１と屋外温度指標Ｔ２との差分に応じて閾値Ｈ１を変化させる。
【符号の説明】
【００５８】
１  環境制御装置
２  制御機器
１１  コントローラ
２１  空調装置
２２  機械換気装置
２３  自然換気装置
７  指標導出部
８  空間
【図１】
2015094540.tif 000003
【図２】
2015094540.tif 000004
【図３】
2015094540.tif 000005